(57)【要約】【課題】遮水性を確保しつつ高い通気性を有し、さらに被覆物への追随が容易な土木用通気遮水複合材を提供する。【解決手段】基材４０と第１遮水シート部１０と第２遮水シート部２０とを有しており、第１遮水シート部１０と前記第２遮水シート部２０は、第１遮水シート部１０と第２遮水シート部２０の少なくとも一方の面積の１０％〜９０％の範囲で重なり合っており、第１遮水シート部１０の一方面に第１遮水シート部１０の面積の５０％以下の第１遮水シート部一方面接合領域１１が設けられており、第１遮水シート部１０は第１遮水シート部一方面接合領域１１において、基材４０又は第２遮水シート部２０と接合している。【選択図】図１
2020180499.tif 000002
【特許請求の範囲】
【請求項１】
基材と第１遮水シート部と第２遮水シート部とを有しており、
前記第１遮水シート部と前記第２遮水シート部は、前記第１遮水シート部と前記第２遮水シート部のうち少なくとも一方の面積の１０％〜９０％の範囲で重なり合っており、
前記第１遮水シート部の一方面に前記第１遮水シート部の面積の５０％以下の一方面接合領域（以下、「第１遮水シート部一方面接合領域」と称する）が設けられており、
前記第１遮水シート部は前記第１遮水シート部一方面接合領域において、前記基材又は前記第２遮水シート部と接合していることを特徴とする土木用通気遮水複合材。
【請求項２】
前記第１遮水シート部及び前記第２遮水シート部が、それぞれ３００ｍｍＨ2Ｏ以上の耐水度（ＪＩＳ  Ｌ−１０９２  Ａ法）と２０００ｇ／ｍ2・２４ｈｒ以下の透湿度（ＪＩＳ  Ｌ−１０９９  Ａ−１法）を有する請求項１に記載の土木用通気遮水複合材。
【請求項３】
前記第２遮水シート部の一方面に前記第２遮水シート部の面積の５０％以下の一方面接合領域（以下、「第２遮水シート部一方面接合領域」と称する）が設けられており、前記第２遮水シート部は前記第２遮水シート部一方面接合領域において、前記基材又は前記第１遮水シート部と接合している請求項１又は２に記載の土木用通気遮水複合材。
【請求項４】
さらに保護層を有しており、前記第１遮水シート部の他方面に前記第１遮水シート部の面積の５０％以下の他方面接合領域（以下、「第１遮水シート部他方面接合領域」と称する）が設けられており、前記第１遮水シート部は前記第１遮水シート部他方面接合領域において、前記保護層又は前記第２遮水シート部と接合している請求項１〜３のいずれか一項に記載の土木用通気遮水複合材。
【請求項５】
前記第２遮水シート部の他方面に前記第２遮水シート部の面積の５０％以下の他方面接合領域（以下、「第２遮水シート部他方面接合領域」と称する）が設けられており、前記第２遮水シート部は前記第２遮水シート部他方面接合領域において、前記保護層又は前記第１遮水シート部と接合している請求項１〜４のいずれか一項に記載の土木用通気遮水複合材。
【請求項６】
前記第１遮水シート部一方面接合領域、前記第１遮水シート部他方面接合領域、前記第２遮水シート部一方面接合領域及び前記第２遮水シート部他方面接合領域の少なくとも一つは複数の接合部が間隔を開けて設けられているものである請求項１〜５のいずれか一項に記載の土木用通気遮水複合材。
【請求項７】
前記基材が織布又は不織布からなる請求項１〜６のいずれか一項に記載の土木用通気遮水複合材。
【請求項８】
前記保護層が前記基材と同じ材料からなる請求項１〜７のいずれか一項に記載の土木用通気遮水複合材。
【発明の詳細な説明】
【技術分野】
【０００１】
本発明は、土木用に使用される通気遮水複合材に関するものである。
【背景技術】
【０００２】
河川港湾施設や道路等の建設、その他様々な土木工事において、法面等の土砂等を覆って浸食や土砂の流出を防ぐための土木シートが用いられている。土木シートは、雨水などの水分の侵入を防ぐ必要があるため、遮水性能を有することが求められる。また、土木シートと被覆物との間にガスの層ができたり、被覆物内の圧力が高まって被覆物及び土木シートが破損したりしないように、土木シートは通気性を有することも必要である。さらに、土木シートが適用される被覆面は凹凸を有するなど現場に応じて様々な形状であるため、土木シートは多様な形状に追随できる柔軟性を必要とする。
【０００３】
護岸構築用に利用される遮水構造としては、例えば特許文献１に、保護マットと遮水シートとがサンドイッチ構造を有し、安定した状態で法面に支持される遮水構造が開示されている。しかし、この遮水構造は通気性が考慮されていない。また、特許文献２には、河川港湾施設等の各種護岸において、堤体の浸食や崩壊を防止する目的で法面をコンクリートで被覆する際に、コンクリート下の堤土表面に敷き詰められ、遮水シートを通して堤体内の空気（ガス）の排出が可能な遮水シートが開示されている。この遮水シートは、保護層とガス透過性防水シートからなり、遮水シートとしての通気性はガス透過性防水シートの透湿度に依存しているため、それ以上の通気性は期待できない。
【先行技術文献】
【特許文献】
【０００４】
【特許文献１】特開２００７−１２６９０２号公報
【特許文献２】特開２００８−２６１２０４号公報
【発明の概要】
【発明が解決しようとする課題】
【０００５】
本発明は上記事情に鑑みてなされたものであり、遮水性を確保しつつ通気性を有し、さらに被覆物への追随が容易な土木用通気遮水複合材を提供することを目的とする。
【課題を解決するための手段】
【０００６】
本発明者は、上記課題を解決するために鋭意研究を重ねた結果、本発明を完成した。本発明の土木用通気遮水複合材は、基材と第１遮水シート部と第２遮水シート部とを有しており、第１遮水シート部と第２遮水シート部は、第１遮水シート部と第２遮水シート部のうち少なくとも一方の面積の１０％〜９０％の範囲で重なり合っており、第１遮水シート部の一方面に第１遮水シート部の面積の５０％以下の一方面接合領域（以下、「第１遮水シート部一方面接合領域」と称する）が設けられており、第１遮水シート部は第１遮水シート部一方面接合領域において、基材又は第２遮水シート部と接合していることに要旨を有する。
【０００７】
第１遮水シート部及び第２遮水シート部が、それぞれ３００ｍｍＨ2Ｏ以上の耐水度（ＪＩＳ  Ｌ−１０９２  Ａ法）と２０００ｇ／ｍ2・２４ｈｒ以下の透湿度（ＪＩＳ  Ｌ−１０９９  Ａ−１法）を有することが好ましい。
【０００８】
第２遮水シート部の一方面に第２遮水シート部の面積の５０％以下の一方面接合領域（以下、「第２遮水シート部一方面接合領域」と称する）が設けられており、第２遮水シート部は第２遮水シート部一方面接合領域において、基材又は第１遮水シート部と接合していることが好ましい。
【０００９】
さらに保護層を有しており、第１遮水シート部の他方面に第１遮水シート部の面積の５０％以下の他方面接合領域（以下、「第１遮水シート部他方面接合領域」と称する）が設けられており、第１遮水シート部は第１遮水シート部他方面接合領域において、保護層又は第２遮水シート部と接合していることが好ましい。
【００１０】
第２遮水シート部の他方面に第２遮水シート部の面積の５０％以下の他方面接合領域（以下、「第２遮水シート部他方面接合領域」と称する）が設けられており、第２遮水シート部は第２遮水シート部他方面接合領域において、保護層又は第１遮水シート部と接合していることが好ましい。
【００１１】
第１遮水シート部一方面接合領域、第１遮水シート部他方面接合領域、第２遮水シート部一方面接合領域及び第２遮水シート部他方面接合領域の少なくとも一つは複数の接合部が間隔を開けて設けられていることが好ましい。
【００１２】
基材が織布又は不織布からなることが好ましい。
【００１３】
保護層が基材と同じ材料からなることが好ましい。
【発明の効果】
【００１４】
本発明の土木用通気遮水複合材は、遮水性を確保しつつ通気性を有し、さらに被覆物への追随が容易であるため、被覆物の形状を制限せずに様々な用途に使用することができる。
【図面の簡単な説明】
【００１５】
【図１】本発明の一実施形態に係る土木用通気遮水複合材の平面図を表す。
【図２】図１に示した土木用通気遮水複合材のＡ−Ａ断面図を表す。
【図３】本発明の別の一実施形態に係る土木用通気遮水複合材の平面図を表す。
【図４】本発明のさらに別の一実施形態に係る土木用通気遮水複合材の斜視図を表す。
【図５】図４に示した土木用通気遮水複合材のＢ−Ｂ断面図を表す。
【図６】本発明のさらに別の一実施形態に係る土木用通気遮水複合材の斜視図を表す。
【図７】図６に示した土木用通気遮水複合材のＣ−Ｃ断面図を表す。
【図８】本発明のさらに別の一実施形態に係る土木用通気遮水複合材の平面図を表す。
【図９】本発明のさらに別の一実施形態に係る土木用通気遮水複合材の平面図を表す。
【発明を実施するための形態】
【００１６】
以下、実施の形態に基づき本発明を説明するが、本発明はもとより下記実施の形態によって制限を受けるものではなく、前・後記の趣旨に適合し得る範囲で適当に変更を加えて実施することも勿論可能であり、それらはいずれも本発明の技術的範囲に包含される。なお、各図面において、便宜上、ハッチングや部材符号等を省略する場合もあるが、かかる場合、明細書や他の図面を参照するものとする。また、図面における種々部材の寸法は、本発明の特徴の理解に資することを優先しているため、実際の寸法とは異なる場合がある。
【００１７】
図１〜図２を参照して本発明の実施形態に係る土木用通気遮水複合材を説明する。図１は本発明の一実施形態に係る土木用通気遮水複合材１の平面図を表している。図２は図１に示した土木用通気遮水複合材１のＡ−Ａ断面図を表している。本発明の実施形態に係る土木用通気遮水複合材は、基材４０と第１遮水シート部１０と第２遮水シート部２０とを有しており、第１遮水シート部１０と第２遮水シート部２０は、第１遮水シート部１０と第２遮水シート部２０のうち少なくとも一方の面積の１０％〜９０％の範囲で重なりあっている。第１遮水シート部１０の一方面に第１遮水シート部１０の面積の５０％以下の一方面接合領域１１（以下、「第１遮水シート部一方面接合領域１１」と称する。）が設けられており、第１遮水シート部１０は第１遮水シート部一方面接合領域１１において、基材４０又は第２遮水シート部２０と接合している。
【００１８】
このような構成により、水分は図２の矢印ｂに示すように第１遮水シート部１０及び第２遮水シート２０により遮断されるが、ガスは図２の矢印ａに示すように第１遮水シート部１０と第２遮水シート部２０の間の空隙を通過することができる。また、基材４０、第１遮水シート部１０、及び第２遮水シート部２０は、第１遮水シート部一方面接合領域１１において接合されているため、土木用通気遮水複合材１はフレキシブルな構成を有し、被覆物がどのような形状であっても追随し易く、被覆物の被覆が容易となる。
【００１９】
基材４０は、織布又は不織布からなることが好ましい。織布又は不織布の種類は特に限定されず、公知の各種繊維から構成される繊維シートであることが好ましく、土木用通気遮水複合材１の遮水性を損なわないように第１遮水シート部１０及び第２遮水シート部２０よりも高い透湿性を有することが好ましい。不織布の製法としては、スパンボンド法、エアスルー法、ポイントボンド法、メルトブロー法、エアレイド法等が挙げられる。基材４０がこのような構成であれば、第１遮水シート１０及び第２遮水シート２０を支持する基材としての強度を確保しつつガスの通過を妨げないため好ましい。
【００２０】
第１遮水シート部１０及び第２遮水シート部２０は、合成樹脂からなることが好ましい。合成樹脂の種類は特に限定されないが、突き刺し強度や引張強度等の強度や耐久性などに優れている点から、例えば、加硫ゴムやポリエチレン、ポリプロピレン、ポリ塩化ビニル、ポリ塩化ビニリデン、ポリウレタン、ポリスチレン、ポリ酢酸ビニル、ポリアミド、ポリエチレンテレフタレート、エチレン・酢酸ビニル共重合体等が好ましい。
【００２１】
第１遮水シート部１０及び第２遮水シート部２０の大きさと形状は任意に選択できる。第１遮水シート部１０と第２遮水シート部２０は、第１遮水シート部１０と第２遮水シート部２０のうち少なくとも一方の面積の１０％以上の面積で重なっており、１５％以上がより好ましく、２０％以上がさらに好ましく、３０％以上がよりさらに好ましく、５０％以上であってもよい。また、第１遮水シート部１０と第２遮水シート部２０は、第１遮水シート部１０と第２遮水シート部２０のうち少なくとも一方の面積の９０％以下の面積で重なっており、８５％以下がより好ましく、８０％以下がさらに好ましく、７０％以下がよりさらに好ましく、６０％以下であってもよい。
【００２２】
第１遮水シート部１０及び第２遮水シート部２０は、一枚のシートが折り畳まれて形成されるものであってもよいし、それぞれが独立したシートであってもよい。一枚のシートが折り畳まれている場合は、折り部３０において折り畳まれ、第１遮水シート部１０と第２遮水シート部２０とは折り部３０を介して繋がっていてもよい。どちらの場合であっても、第１遮水シート部１０及び第２遮水シート部２０はシート状の部材であり、一方面と他方面とを有する。図１〜図２では、基材４０に面している側が一方面、それと反対側が他方面である。
【００２３】
第１遮水シート部１０の一方面に、第１遮水シート部１０の面積の５０％以下の接合領域１１が設けられている。第１遮水シート部一方面接合領域１１の面積の上限が第１遮水シート部１０の面積の５０％以下であれば、土木用通気遮水複合材１の通気性及び柔軟性を確保できる。第１遮水シート部一方面接合領域１１の面積は、第１遮水シート部１０の面積の４０％以下が好ましく、３０％以下がより好ましく、２５％以下がさらに好ましい。第１遮水シート部一方面接合領域１１の面積が小さいほど通気性及び柔軟性が向上するので好ましい。また、第１遮水シート部一方面接合領域１１の面積は、第１遮水シート部１０の面積の５％以上が好ましく、８％以上がより好ましく、１０％以上がさらに好ましい。第１遮水シート部一方面接合領域１１の面積が第１遮水シート部１０の面積の５％以上であれば、遮水性や土木用通気遮水複合材１の強度が保たれるため好ましい。
【００２４】
第１遮水シート部一方面接合領域１１は、基材４０と第２遮水シート部２０のどちらに接合していてもよい。例えば、第１遮水シート部一方面接合領域１１の全体が基材４０又は第２遮水シート部２０に接合していてもよいし、第１遮水シート部一方面接合領域１１のうち一部が基材４０に接合してそれ以外の部分が第２遮水シート部２０に接合していてもよい。
【００２５】
第１遮水シート部１０及び第２遮水シート部２０は、それぞれの端部のうち少なくとも一部はどの部材とも接合されていない自由端であることが好ましい。上記自由端の割合は、第１遮水シート部１０及び第２遮水シート部２０の端部の全体の長さの２０％以上が好ましく、３０％以上がより好ましく、４０％以上がさらに好ましく、５０％以上がよりさらに好ましい。また、上記自由端の割合は、７５％以下が好ましく、７０％以下がより好ましく、６５％以下がさらに好ましく、６０％以下がよりさらに好ましい。第１遮水シート部１０及び第２遮水シート部２０が端部にこの範囲の自由端を有していれば、土木用通気遮水複合材１は遮水性を確保しつつ、通気性と柔軟性を向上できて好ましい。
【００２６】
第１遮水シート部一方面接合領域１１が有する接合の手段は特に制限されないが、接着剤による接着、エンボス加工等による機械的接合、熱融着による接合等が好ましい。いずれの接合法であっても、第１遮水シート部一方面接合領域１１の全領域に接合手段が施されているとは限らず、例えば接着剤による接着であれば、接着剤がドット状、直線状、波線状等に塗布されていてもよい。機械的接合、熱融着による接合等でも同様である。
【００２７】
第１遮水シート部１０及び第２遮水シート部２０は、ＪＩＳ  Ｌ１０９２  Ａ法記載の方法に準拠した方法により測定した耐水度が３００ｍｍＨ2Ｏ以上であることが好ましい。耐水度が３００ｍｍＨ2Ｏ以上であれば被覆物への雨水等の水分の侵入を防ぐことができる。耐水度は高い方が好ましく、より好ましくは４００ｍｍＨ2Ｏ以上、さらに好ましくは５００ｍｍＨ2Ｏ以上である。耐水度の上限は特に制限されないが、好ましくは２５００ｍｍＨ2Ｏ以下である。
【００２８】
第１遮水シート部１０及び第２遮水シート部２０は、ＪＩＳ  Ｌ−１０９９  Ａ−１法記載の方法に準拠した方法により測定した透湿度が２０００ｇ／ｍ2・２４ｈｒ以下であることが好ましい。本発明の実施形態に係る土木用通気遮水複合材１は第１遮水シート部１０と第２遮水シート部２０の間に形成される空隙をガスが通過することで通気性が確保されるため、第１遮水シート部１０及び第２遮水シート部２０自体の透湿度が２０００ｇ／ｍ2・２４ｈｒ以下であっても土木用通気遮水複合材１の通気性は損なわれない。第１遮水シート部１０及び第２遮水シート部２０の透湿度は１８００ｇ／ｍ2・２４ｈｒ以下であってもよく、１６００ｇ／ｍ2・２４ｈｒ以下であってもよい。第１遮水シート部１０及び第２遮水シート部２０の透湿度の下限は特に制限されないが、１００ｇ／ｍ2・２４ｈｒ以上であってもよく、１５０ｇ／ｍ2・２４ｈｒ以上であってもよい。
【００２９】
図３〜図５を参照して、本発明の別の一実施形態に係る土木用通気遮水複合材を説明する。図３は、本発明の別の一実施形態に係る土木用通気遮水複合材１の平面図を表している。図４は、本発明のさらに別の一実施形態に係る土木用通気遮水複合材１の斜視図を表し、図５は図４に示した土木用通気遮水複合材１のＢ−Ｂ断面図を表している。本発明の実施形態にかかる土木用通気遮水複合材は、第２遮水シート部２０の一方面に第２遮水シート部２０の面積の５０％以下の一方面接合領域２１（以下、「第２遮水シート部一方面接合領域２１」と称する。）が設けられており、第２遮水シート部２０は第２遮水シート部一方面接合領域２１において、基材４０又は第１遮水シート部１０と接合していることが好ましい。
【００３０】
図３は、一枚のシートが折り畳まれて第１遮水シート部１０及び第２遮水シート部２０が形成された態様を表し、図３〜図４は、第１遮水シート部１０及び第２遮水シート部２０がそれぞれ独立したシートである態様を表している。図３に示すように、第２遮水シート部一方面接合領域２１の一部は基材４０に接合しそれ以外は第１遮水シート部１０に接合していてもよい。また、図４に示すように、第２遮水シート部一方面接合領域２１の全体が基材４０に接合していてもよい。さらに、図示していないが第２遮水シート部一方面接合領域２１の全体が第１遮水シート部１０に接合していてもよい。
【００３１】
このような構成により、水分は図５の矢印ｂに示すように第１遮水シート部１０及び第２遮水シート２０により遮断されるが、ガスは図５の矢印ａに示すように第１遮水シート部１０と第２遮水シート部２０の間の空隙を通過することで通気性が確保できるので好ましい。また、基材４０、第１遮水シート部１０、及び第２遮水シート部２０は、第１遮水シート部一方面接合領域１１及び第２遮水シート部一方面接合領域２１において接合されているため、土木用通気遮水複合材１はフレキシブルな構成を有し、被覆物がどのような形状であっても追随し易く、被覆物の被覆が容易となる。
【００３２】
第２遮水シート部一方面接合領域２１の面積の上限が第２遮水シート部２０の面積の５０％以下であれば、土木用通気遮水複合材１の通気性及び柔軟性を確保できる。第２遮水シート部一方面接合領域２１の面積は、第２遮水シート部２０の面積の４０％以下が好ましく、３０％以下がより好ましく、２５％以下がさらに好ましい。第２遮水シート部一方面接合領域２１の面積が小さいほど通気性及び柔軟性が向上するので好ましい。また、第２遮水シート部一方面接合領域２１の面積は、第２遮水シート部２０の面積の５％以上が好ましく、８％以上がより好ましく、１０％以上がさらに好ましい。第２遮水シート部一方面接合領域２１の面積が第２遮水シート部２０の面積の５％以上であれば、遮水性や土木用通気遮水複合材１の強度が保たれるため好ましい。
【００３３】
第２遮水シート部一方面接合領域２１が有する接合の手段は特に制限されないが、接着剤による接着、エンボス加工等による機械的接合、熱融着による接合等が好ましい。いずれの接合法であっても、第２遮水シート部一方面接合領域２１の全領域に接合手段が施されているとは限らず、例えば接着剤による接着であれば、接着剤がドット状、直線状、波線状等に塗布されていてもよい。機械的接合、熱融着による接合等でも同様である。
【００３４】
図６〜図７を参照して、本発明のさらに別の一実施形態に係る土木用通気遮水複合材を説明する。図６は本発明のさらに別の一実施形態に係る土木用通気遮水複合材の斜視図を表し、図７は図６に示した土木用通気遮水複合材のＣ−Ｃ断面図を表す。本発明のさらに別の一実施形態に係る土木用通気遮水複合材１はさらに保護層５０を有しており、第１遮水シート部１０の他方面に第１遮水シート部１０の面積の５０％以下の他方面接合領域１２（以下、「第１遮水シート部他方面接合領域１２」と称する）が設けられており、第１遮水シート部１０は第１遮水シート部他方面接合領域１２において、保護層５０又は第２遮水シート部２０と接合していることが好ましい。
【００３５】
本発明のさらに別の一実施形態に係る土木用通気遮水複合材１は、第２遮水シート部２０の他方面に第２遮水シート部２０の面積の５０％以下の他方面接合領域２２（以下、「第２遮水シート部他方面接合領域２２」と称する）が設けられており、第２遮水シート部２０は第２遮水シート部他方面接合領域２２において、保護層５０又は第１遮水シート部１０と接合していることが好ましい。
【００３６】
図６に保護層５０は図示していないが、図７に示すように第１遮水シート部１０及び第２遮水シート部２０を挟んで基材４０と対向するように保護層５０が配置されており、この態様においては、第１遮水シート部他方面接合領域１２及び第２遮水シート部他方面接合領域２２が保護層５０と接合していることが好ましい。また、図示していないが、第１遮水シート部他方面接合領域１２及び第２遮水シート部他方面接合領域２２が第１遮水シート部１０と接合していてもよいし、第１遮水シート部他方面接合領域１２及び第２遮水シート部他方面接合領域２２がそれぞれ、一部分は保護層５０と、それ以外の部分は第１遮水シート部１０と接合していてもよい。
【００３７】
第１遮水シート部他方面接合領域１２及び第２遮水シート部他方面接合領域２２の面積は、それぞれ第１遮水シート部１０及び第２遮水シート部２０の面積の５０％以下であれば、土木用通気遮水複合材１の通気性及び柔軟性を確保できる。第１遮水シート部他方面接合領域１２及び第２遮水シート部他方面接合領域２２の面積は、それぞれ第１遮水シート部１０及び第２遮水シート部２０の面積の４０％以下が好ましく、３０％以下がより好ましく、２５％以下がさらに好ましい。第１遮水シート部他方面接合領域１２及び第２遮水シート部他方面接合領域２２の面積が小さいほど通気性及び柔軟性が向上するので好ましい。また、第１遮水シート部他方面接合領域１２及び第２遮水シート部他方面接合領域２２の面積は、それぞれ第１遮水シート部１０及び第２遮水シート部２０の面積の５％以上が好ましく、８％以上がより好ましく、１０％以上がさらに好ましい。第１遮水シート部他方面接合領域１２及び第２遮水シート部他方面接合領域２２の面積がそれぞれ第１遮水シート部１０及び第２遮水シート部２０の面積の５％以上であれば、遮水性や土木用通気遮水複合材１の強度が保たれるため好ましい。
【００３８】
保護層５０は、基材４０と同じ材料からなっていてもよいし、異なっていてもよい。保護層５０は、第１遮水シート部１０及び第２遮水シート部を保護するために設けられることが好ましく、第１遮水シート部１０及び第２遮水シート部２０よりも高い透湿性を有することが好ましい。
【００３９】
このような構成であれば、水分は図７の矢印ｂに示すように第１遮水シート部１０及び第２遮水シート部２０により遮断されるが、ガスは図７の矢印ａに示すように第１遮水シート部１０と第２遮水シート部２０の間の空隙を通過することで通気性が確保できるので好ましい。また、基材４０、第１遮水シート部１０、第２遮水シート部２０、及び保護層５０は、第１遮水シート部一方面接合領域１１、第２遮水シート部一方面接合領域２１、第１遮水シート部他方面接合領域１２、及び第２遮水シート部他方面接合領域２２において接合されているため、土木用通気遮水複合材１はフレキシブルな構成を有し、被覆物がどのような形状であっても追随し易く、被覆物の被覆が容易となる。特に、基材４０と保護層５０とが直接接合されておらず、第１遮水シート部一方面接合領域１１、第２遮水シート部一方面接合領域２１、第１遮水シート部他方面接合領域１２、及び第２遮水シート部他方面接合領域２２の面積はそれぞれ第１遮水シート部１０又は第２遮水シート部２０の面積の５０％以下、好ましくは４０％以下、より好ましくは３０％以下、さらに好ましくは２５％以下であるため、基材４０、第１遮水シート部１０、第２遮水シート部２０、及び保護層５０が層状に重なった状態であっても互いに移動可能となり、土木用通気遮水複合材１の柔軟性が保たれるため好ましい。
【００４０】
第１遮水シート部一方面接合領域１１、第２遮水シート部一方面接合領域２１、第１遮水シート部他方面接合領域１２、及び第２遮水シート部他方面接合領域２２のうち少なくとも一つは、複数の接合部が間隔を開けて設けられていることが好ましい。図８に一例を示す。図８では、第２遮水シート部一方面接合領域２１及び第１遮水シート部他方面接合領域１２が間隔を開けて設けられている接合部を有している。このような構成により、それぞれの接合部間の空隙をガスが通過することで通気性を確保できるため好ましい。
【００４１】
第１遮水シート部１０と第２遮水シート部２０は、第１遮水シート部１０と第２遮水シート部２０のうち少なくとも一方の面積の１０％〜９０％の範囲で重なり合っているため、土木用通気遮水複合材１は、第１遮水シート部１０と第２遮水シート部２０とが何層も重なり合った構成を有する場合がある。例えば、第１遮水シート部１０と第２遮水シート部２０とが同じ大きさで、互いに５０％より大きい面積が重なり合っている場合、土木用通気遮水複合材１のある部分においては少なくとも３枚のシート部が層状に重なり合っている。さらに大きい面積で重なり合う場合は４枚のシート部や５枚、６枚、及びそれ以上のシート部が層状に重なり合う場合もあり得る。そのような多層構造の場合であっても、第１遮水シート部一方面接合領域１１、第２遮水シート部一方面接合領域２１、第１遮水シート部他方面接合領域１２、及び第２遮水シート部他方面接合領域２２のうち少なくとも一つは、複数の接合部が間隔を開けて設けられていることにより、それぞれの接合部間の空隙をガスが通過することで通気性を確保できるため好ましい。
【００４２】
図９に、第１遮水シート部一方面接合領域１１、第２遮水シート部一方面接合領域２１、第１遮水シート部他方面接合領域１２、及び第２遮水シート部他方面接合領域２２のうち少なくとも一つは、複数の接合部が間隔を開けて設けられている場合の別の態様を示す。このように、第１遮水シート部一方面接合領域１１、第２遮水シート部一方面接合領域２１、第１遮水シート部他方面接合領域１２、及び第２遮水シート部他方面接合領域２２のうち少なくとも一つに設けられている複数の接合部が、第１遮水シート部１０、及び第２遮水シート部２０のそれぞれ端部に設けられており、該接合部が基材４０の端部と接合していてもよい。このような構成は、第１遮水シート部１０と第２遮水シート部２０とが折り部３０を介して繋がっていない場合に好ましく、基材４０、第１遮水シート部１０、及び第２遮水シート部２０が重なった状態で端部を圧着する等して形成することができる。
【符号の説明】
【００４３】
１：土木用通気遮水複合材
１０：第１遮水シート部
１１：第１遮水シート部一方面接合領域
１２：第１遮水シート部他方面接合領域
２０：第２遮水シート部
２１：第２遮水シート部一方面接合領域
２２：第２遮水シート部他方面接合領域
３０：折り部
４０：基材
５０：保護層
矢印ａ：通気方向
矢印ｂ：遮水方向
【図１】
2020180499.tif 000003
【図２】
2020180499.tif 000004
【図３】
2020180499.tif 000005
【図４】
2020180499.tif 000006
【図５】
2020180499.tif 000007
【図６】
2020180499.tif 000008
【図７】
2020180499.tif 000009
【図８】
2020180499.tif 000010
【図９】
2020180499.tif 000011